(57)【特許請求の範囲】
【請求項１】
少なくとも一面を開放面とした本体フレームと、前記開放面を覆うべく上下複数段に設けられ、上部裏面にはハンドル操作によって本体フレームに係合する止め金を設けた引掛扉とを有する筐体において、
前記開放面の両内側部の奥側の位置に、この開放面に沿ってほぼ水平な状態で一体的に取り付けられた支えピンと、
この支えピンの下方にて、前記開放面と所定間隔を保って対向配置されたストッパと、
前記引掛扉の裏面下部両側に一体的に設けられ、前記裏面より後方に向って延出しその下面が前記支えピン上に載置可能な載置面及びこの載置面の先端部に下向きに形成され前記支えピンの外周に係合可能な係合部から成る支え部材と、
前記引掛扉の裏面両側に一体的に設けられ、幅方向中心に向う傾斜面を有し、この傾斜面と本体フレームとの係合により引掛扉の幅方向を本体フレームに対して所定の位置関係に案内する案内部材とを備え、
上段に位置する引掛扉は、前記支え部材の載置面が前記支えピン上に載置された状態で、その下端部分が、下段に位置する引掛扉の上端部裏面と前記ストッパとの間に挟み込まれている
ことを特徴とする筐体。
【発明の詳細な説明】
【０００１】
【発明の属する技術分野】
本発明は、制御盤等に用いられる、引掛扉を有する筐体に関する。
【０００２】
【従来の技術】
各種の制御盤には、正面部に開閉扉を設け、背面には引掛扉を有する筐体が用いられている。この筐体の従来構造を図８乃至図１１を用いて説明する。なお、図８は制御盤用筐体の背面図、図９は図８の筐体から引掛扉１２を外して本体フレーム１１を示す図、図１０は図８のＣ−Ｃ断面図、図１１は図８のＤ−Ｄ断面図である。
【０００３】
これらの図において、本体フレーム１１の背面（開放面）は上下複数段（図の例では４段）に設けられた引掛扉１２により覆われている。この引掛扉１２の表面の上下方向中間部には左右一体の取手１３が一体的に設けられており、また、その上部には、ハンドル１４が回動操作可能に設けられている。
【０００４】
この引掛扉１２の裏面には、ハンドル１４の支軸と一体の止め金１５が設けられており、この止め金１５はハンドル１４によって回動駆動され、本体フレーム１１と係合して、引掛扉１２を本体フレーム１１に固定する。また、この引掛扉１２の裏面下部には、左右一対の引掛部材１６が設けられている。この引掛部材１６は、本体フレーム１１の背面を横断する状態で設けられたサポート材１７と、図１１で示すように引掛係合する。すなわち、引掛部材１６は、図示のように鋭角な傾斜辺を有する引掛用の切欠き１６ａを持っており、この切欠き１６がサポート材１７に引掛係合することにより、引掛扉１１の下部裏面を、パッキン１８を介してサポート材１７に密着させる。
【０００５】
上記構成において、引掛扉１２を本体フレーム１１に取付けるに当っては、その表面に設けた取手１３を持って引掛扉１１を持ち上げ、その裏面下部に設けた左右一対の引掛部材１６をサポート材１７に引掛る。この後、引掛扉１２の上部裏面を本体フレーム１１に密着させ、ハンドル１４を回動操作して、止め金具１５を本体フレーム１１に係合させ、取付けを終了する。
【０００６】
【発明が解決しようとする課題】
しかし、このような取付け構造では次のような問題点がある。
（１）引掛扉１２を取付ける際、サポート材１７に引掛部材１６を引き掛けるため、サポート材１７の塗装が剥げてしまい、補修塗装が必要になる。
（２）引掛扉１２を取付ける際、取付け用のガイドが無いため、左右方向の位置調整が必要になる。
（３）また、引掛扉の取付け・取り外し時に、滑り等により誤って取手から手を離した場合、引掛り部分が少ないため、引掛扉１２が落下することがあり、安全上問題がある。
（４）引掛扉１２を本体フレーム１１から取り外しても、本体フレーム１１には開放面を横断する状態で複数のサポート材１７が設けられているので、制御盤として筐体内部の用品取替えや配線変更を行う場合に、サポート材１７が邪魔になり、上述した各種の作業に多大な労力と時間が必要になる。このことは現地改造に就いても同様である。
本発明の目的は、本体フレームの開放面を横断するサポート材を要せず、引掛扉に対する取扱も容易になった筐体を提供することにある。
【０００７】
【課題を解決するための手段】
本発明による筐体は、少なくとも一面を開放面とした本体フレームと、前記開放面を覆うべく上下複数段に設けられ、上部裏面にはハンドル操作によって本体フレームに係合する止め金を設けた引掛扉とを有するもので、前記開放面の両内側部の奥側の位置には、この開放面に沿ってほぼ水平な状態で支えピンが一体的に取り付けられている。また、この支えピンの下方には、前記開放面と所定間隔を保ってストッパが対向配置されている。一方、引掛扉の裏面下部両側には、支え部材が一体的に設けられている。この支え部材は、引掛扉の裏面より後方に向って延出しその下面が前記支えピン上に載置可能な載置面及びこの載置面の先端部に下向きに形成され前記支えピンの外周に係合可能な係合部から成る。さらに、引掛扉の裏面両側には案内部材が一体的に設けられている。この案内部材は、幅方向中心に向う傾斜面を有し、この傾斜面と本体フレームとの係合により引掛扉の幅方向を本体フレームに対して所定の位置関係に案内する。そして、上段に位置する引掛扉は、支え部材の載置面が前記支えピン上に載置された状態で、その下端部分が、下段に位置する引掛扉の上端部裏面と前記ストッパとの間に挟み込まれている。
【０００８】
【発明の実施の形態】
以下、本発明の実施の一形態を図１乃至図７を参照して説明する。なお、図１は制御盤用筐体の背面側を示す斜視図、図２は図１のＡ−Ａ断面図、図３は図１のＢ−Ｂ断面図、図４は図２で示したガイド部材の斜視図、図５は図３で示した支え部材の斜視図、図６は図１の筐体から引掛扉２２を外して本体フレーム１１の背面部分を示す図、図６で示した支えピン及びストッパを拡大して示す図である。
【０００９】
図１において、制御盤用の筐体は、少なくとも一面を開放面とした本体フレーム１１を有する。図示の本体フレーム１１は、前面側と背面側とを開放しており、前面側には開閉扉２１が設けられ、また背面側には複数枚の引掛扉２２が対応する開放面を覆うべく上下複数段に設けられている。
【００１０】
本体フレーム１１の開放面の両内側部には、図６及び図７で示すように、引掛扉２２を保持するためのサポート部材２３が一体的に取り付けられている。このサポート部材２３は、支えピン２４及びストッパ２５を一体に有するものである。支えピン２４は、図３及び図７で示すように、本体フレーム１１の奥側の位置に、この本体フレーム１１の開放面に沿ってほぼ水平な状態で一体に取付けられている。また、この支えピン２４の下方には、ストッパ２５が、本体フレーム１１の開放面と所定間隔を保って対向するように配置されている。
【００１１】
引掛扉２２は、従来と同様に、表面の上下方向中間部に左右一体の取手１３が一体的に設けられており、その上部には、ハンドル１４が回動操作可能に設けられている。また、この引掛扉２２の裏面には、ハンドル１４の支軸と一体の図示しない止め金が設けられており、この止め金はハンドル１４によって回動駆動され、本体フレーム１１と係合して、引掛扉２２の上部を本体フレーム１１に固定する。
【００１２】
この引掛扉２２の裏面下部には、本体フレーム１１側のサポート部材２３に対応して、左右一対の支え部材２７が一体的に設けられている。この支え部材２７は、図５で示すように、引掛扉２２への取付け部２７ａ、後述する載置面２７ｂ及び係合部２７ｃを有するもので、図３で示すように、載置面２７ｂが引掛扉２２の裏面より下方に傾斜しながら後方に向って延出し、この載置面２７ｂの先端部を折り曲げた係合部２７ｃが下向きとなるように引掛扉２２の裏面に取付けられる。
【００１３】
ここで、支え部材２７の載置面２７ｂは、引掛扉２２が本体フレーム１１の開放面を覆った正規の閉鎖状態において、図３で示すように、前記支えピン２４上に載置される。また、図３の２点鎖線で示すように、引掛扉２２の上部が開いた状態では、載置面２７ｂの先端に形成した係合部２７ｃが、前記支えピン２４の外周に係合し、引掛扉２２の脱落を防止する。
【００１４】
また、引掛扉２２の裏面両側には、図２で示すように、左右一対の案内部材２８が一体的に設けられている。この案内部材２８は、図４で示すように、ガイド用の傾斜面２８ａ、位置決め部２８ｂ、引掛扉２２裏面への取付け部２８ｃから成る。これら左右一対の案内部材２８は、図２で示すように、各傾斜面２８ａが、引掛扉２２の幅方向中心に向い、両位置決め部２８ｂが、本体フレーム１１の両内側辺間隔内に嵌合可能な間隔で対峙するように、引掛扉２２の裏面に取付けられる。これら案内部材２８は、引掛扉２２を本体フレーム１１に取付ける際、この傾斜面２８ａと本体フレーム１１の内側辺との係合により、この引掛扉２２の幅方向を本体フレーム１１に対して所定の位置間隔に案内する。
【００１５】
さらに、この引掛扉２２の下端部分２２ａは、図３で示すように、他の部分に対し裏面側に平行移動した位置関係に形成されており、本体フレーム１１に対する正規の閉鎖状態において、その裏面はストッパ２５の先端と当接する。そして、上述した正規の閉鎖状態にて、その下端部分２２ａは、下段に位置する引掛扉２２の上端部裏面とパッキン２９を介して接合し、ストッパ２５とによって挟持される。
【００１６】
上記構成において、本体フレーム１１に対して引掛扉２２を取り付ける場合は、その表面に設けた一対の取手１３を掴み、所定の高さまで持ち上げた後、その裏面に設けた一対の支え部材２７の載置面２７ｂを、本体フレーム１１側に設けた支えピン２４上に載置する。
【００１７】
この状態で、引掛扉２２を垂直に立て、そのまま本体フレーム１１内に押し込むと、引掛扉２２は、裏面に設けた案内部材２８により幅方向に案内され、所定の閉鎖位置に位置決めされる。すなわち、引掛扉２２は、本体フレーム１１に対し、縦方向は支え部材２７が支えピン２４上に載置されたことにより位置決めされ、幅方向は案内部材２８と本体フレーム１１の内側辺との係合により位置決めされる。したがって、上述のように、単に引掛扉２２を本体フレーム１１内に押し込むだけの操作により、正規の閉鎖状態に位置決めされる。
【００１８】
位置決め後は、従来と同様にハンドル１４を回転操作し、止め金を本体フレーム１１に係合させ、引掛扉２２を本体フレーム１１に固定する。なお、引掛扉２２の下端部分２２ａは、前述のように下段に位置する引掛扉２２の上端部裏面とパッキン２９を介して接合し、ストッパ２５とによって挟持されている。したがって、引掛扉２２は本体フレーム１１に対して強固に固定される。
【００１９】
引掛扉２２を本体フレーム１１から取り外す場合は、上記と逆の操作を行えばよい。すなわち、ハンドル１４を操作して止め金を本体フレームから外すと共に、取手１３を掴み、引掛扉２２を本体フレームから取り外す。この取り外し操作時、滑り等によって取手１３から誤って手を離しても、支え部材２７の載置部２７ｂが奥行き方向に比較的長く形成されており、しかも、その先端には係合部２７ｃが形成されているため、図３の２点鎖線で示すように、支え部材２７の係合部２７ｃが支えピン２４に係合する。このため、引掛扉２２が落下することはなく、安全性が向上する。
【００２０】
また、引掛扉２２を取り外した後、本体フレーム１１内において、用品取換や配線変更等を行う場合、本体フレーム１１側に設けた支えピン２４等は、従来のサポート材１７のように、本体フレーム１１の開放面を横断して、上記作業を邪魔することはなく、これらの作業性が大幅に向上し、作業者が従来のサポート材１７に頭をぶつける可能性もなくなり、このことからも安全性が向上する。
【００２１】
【発明の効果】
以上のように本発明によれば、本体フレームの開放面を横断するサポート材を要しないため、本体フレーム内の作業が容易になり、また、引掛扉の落下を防止できるなど引掛扉に対する取扱も容易になるので、安全性も向上する。
【図面の簡単な説明】
【図１】本発明による筐体の実施の一形態を示す外形図である。
【図２】図１のＡ−Ａ断面図である。
【図３】図１のＢ−Ｂ断面図である。
【図４】図２で示した案内部材の斜視図である。
【図５】図３で示した支え部材の斜視図である。
【図６】図１で示した本体フレームの正面図である。
【図７】図６で示したサポート部材の拡大図である。
【図８】従来の筐体の正面図である。
【図９】従来の本体フレームの正面図である。
【図１０】図８のＣ−Ｃ断面図である。
【図１１】図８のＤ−Ｄ断面図である。
【符号の説明】
１１…本体フレーム、１４…ハンドル、２２…引掛扉、２２ａ…下端部分、
２４…支えピン、２５…ストッパ、２７…支え部材、２７ｂ…載置面、
２７ｃ…係合部、２８…案内部材、２８ａ…傾斜面。
【図１】
0003643462.tif 000002
【図２】
0003643462.tif 000003
【図３】
0003643462.tif 000004
【図４】
0003643462.tif 000005
【図５】
0003643462.tif 000006
【図６】
0003643462.tif 000007
【図７】
0003643462.tif 000008
【図８】
0003643462.tif 000009
【図９】
0003643462.tif 000010
【図１０】
0003643462.tif 000011
【図１１】
0003643462.tif 000012